(57)【特許請求の範囲】
【請求項１】
原料結晶棒を誘導加熱コイルで加熱溶融して浮遊帯域を形成し、前記誘導加熱コイルに対して上側の前記原料結晶棒及び下側の単結晶棒を回転させながら相対的に下降させ、前記浮遊帯域を移動させることで前記単結晶棒を育成するＦＺ法による半導体単結晶製造装置であって、
該半導体単結晶製造装置は、前記誘導加熱コイルの上下のいずれか、又は両方に設けられた補助ヒーターを有し、
該上下のいずれか、又は両方に設けられた補助ヒーターは、前記原料結晶棒又は前記単結晶棒の周囲を囲むように配置される上部ヒーターと、該上部ヒーターの下側に一定間隔へだてて配置される下部ヒーターと、該下部ヒーターと前記上部ヒーターをつなぐ折り返し部とを備え、前記上部ヒーターと前記下部ヒーターを電力供給器に接続することにより閉回路が形成されるものであることを特徴とする半導体単結晶製造装置。
【請求項２】
前記補助ヒーターがハロゲンランプヒーターであることを特徴とする請求項１に記載の半導体単結晶製造装置。
【請求項３】
原料結晶棒を誘導加熱コイルで加熱溶融して浮遊帯域を形成し、前記誘導加熱コイルに対して上側の前記原料結晶棒及び下側の単結晶棒を回転させながら相対的に下降させ、前記浮遊帯域を移動させることで前記単結晶棒を育成するＦＺ法による半導体単結晶製造装置を用いた半導体単結晶の製造方法であって、
前記誘導加熱コイルの上下のいずれか、又は両方に設けられた補助ヒーターにより、前記原料結晶棒と前記単結晶棒のいずれか、又は両方を加熱しながら前記単結晶棒を育成し、
前記上下のいずれか、又は両方に設けられた補助ヒーターとして、前記原料結晶棒又は前記単結晶棒の周囲を囲むように配置される上部ヒーターと、該上部ヒーターの下側に一定間隔へだてて配置される下部ヒーターと、該下部ヒーターと前記上部ヒーターをつなぐ折り返し部とを備え、前記上部ヒーターと前記下部ヒーターを電力供給器に接続することにより閉回路が形成されるものを用いることを特徴とする半導体単結晶の製造方法。
【請求項４】
前記補助ヒーターとしてハロゲンランプヒーターを用いることを特徴とする請求項３に記載の半導体単結晶の製造方法。
【請求項５】
前記単結晶棒育成中に前記補助ヒーターの出力を変化させることを特徴とする請求項３又は請求項４に記載の半導体単結晶の製造方法。
【発明の詳細な説明】
【技術分野】
【０００１】
本発明は、原料結晶棒を誘導加熱コイルで加熱溶融して浮遊帯域を形成し、誘導加熱コイルに対して上側の原料結晶棒及び下側の単結晶棒を相対的に下降させ、浮遊帯域を移動させることで単結晶棒を育成するＦＺ法（フローティングゾーン法または浮遊溶融帯域法）による半導体単結晶製造装置及び半導体単結晶の製造方法に関する。
【背景技術】
【０００２】
図５は、ＦＺ法における従来の半導体単結晶製造装置の概略図の一例を示したものである。このＦＺ法による単結晶製造装置１００を用いて、半導体単結晶を製造する方法について以下に説明する。
【０００３】
まず、原料結晶棒１０２をチャンバー１１２内に設置された上軸１０４の上部保持具１０５に保持する。一方、種結晶１０９を原料結晶棒１０２の下方に位置する下軸１０６の下部保持具１０７に保持する。
次に、高周波発振機１１３によって誘導加熱コイル１０８から高周波を発生させ、原料結晶棒１０２の下端を加熱、溶融させて種結晶１０９に融着させる。その後、種絞りにより絞り部１１０を形成して無転位化する。原料結晶棒１０２は誘導加熱コイル１０８により溶融されて浮遊帯域１１１が形成される。
その後、単結晶棒１０３を所望の直径まで拡径させた後、一定の直径となるよう、上軸１０４と下軸１０６を下方へ移動させる。
【０００４】
近年、ＦＺ法における単結晶製造においても大口径ウェーハの要求が多くなり、シリコン単結晶においては直径１５０［ｍｍ］あるいは２００［ｍｍ］以上といった大口径化が進んでいる。それに合わせて原料結晶棒も大口径化が必要となってきている。
【０００５】
これまでより大口径の原料結晶棒を使用したＦＺ法による単結晶製造においては、より多くの原料を溶融させ、浮遊帯域を保持する必要があるため、誘導加熱コイルにおいて、より多くの電力を消費していた。
【０００６】
そこで、特許文献１では、原料結晶棒の周囲に保温筒を設けることにより、高周波電力の増加を抑制し、安定的に結晶製造する方法が開示されている。
さらに、特許文献２では、原料結晶棒の周囲を補助ヒーターにて加熱し、原料結晶棒の表面モルホロジーを改善したり、加熱された原料結晶棒の予熱を利用して生産効率を向上させることも開示されている。
【先行技術文献】
【特許文献】
【０００７】
【特許文献１】特開２０１１−２０１７１８号公報
【特許文献２】特開平９−１６５２９６号公報
【発明の概要】
【発明が解決しようとする課題】
【０００８】
このように原料結晶棒の周囲を保温することや補助ヒーターなどで加熱することは高周波電力の増加を抑えることに有効である。しかしながら、加熱をより効果的に行うために誘導加熱コイルの近傍に補助ヒーターを近づけるとそのヒーター自体が誘導加熱を受けてしまい、ヒーター加熱動作の不良や、かえって誘導加熱コイルへの投入電力が増加してしまうことがあった。
そのため、補助ヒーターを誘導加熱コイルから離した位置に配置する必要があり、その効果が限定的となってしまい、十分な効果が発揮できなかった。
【０００９】
本発明は、上記問題点に鑑みてなされたものであって、原料結晶棒あるいは単結晶棒を効率的に加熱し、より安定した結晶成長ができ、さらには誘導加熱コイルからの高周波電力をロスすることなく単結晶成長時に必要な電力を低減させ、省エネを達成することができる半導体単結晶製造装置と半導体単結晶の製造方法を提供することを目的とする。
【課題を解決するための手段】
【００１０】
上記目的を達成するために、本発明は、原料結晶棒を誘導加熱コイルで加熱溶融して浮遊帯域を形成し、前記誘導加熱コイルに対して上側の前記原料結晶棒及び下側の単結晶棒を回転させながら相対的に下降させ、前記浮遊帯域を移動させることで前記単結晶棒を育成するＦＺ法による半導体単結晶製造装置であって、
該半導体単結晶製造装置は、前記誘導加熱コイルの上下のいずれか、又は両方に設けられた補助ヒーターを有し、
該補助ヒーターは、前記原料結晶棒又は前記単結晶棒の周囲を囲むように配置される上部ヒーターと、該上部ヒーターの下側に一定間隔へだてて配置される下部ヒーターと、該下部ヒーターと前記上部ヒーターをつなぐ折り返し部とを備え、前記上部ヒーターと前記下部ヒーターを電力供給器に接続することにより閉回路が形成されるものであることを特徴とする半導体単結晶製造装置を提供する。
【００１１】
このような補助ヒーターを備えた半導体単結晶製造装置であれば、補助ヒーターが誘導加熱コイルからの磁界による誘導加熱を受けることなく、補助ヒーターの加熱動作を自由に制御することができ、誘導加熱コイルへの高周波投入電力を大幅に減らすことができる。また、原料結晶棒および単結晶棒の周囲に配置された補助ヒーター投入電力を独立に制御することにより、それぞれの加熱状態を個別に制御できる。そのため、より安定した結晶成長が可能となる。
【００１２】
このとき、前記補助ヒーターがハロゲンランプヒーターであることが好ましい。
ハロゲンランプヒーターは発熱部が石英ガラスで覆われているため、補助ヒーターをハロゲンランプヒーターとすることで、誘導加熱コイル近傍に配置しても不純物汚染の懸念が少なく、純度の高い単結晶棒が製造できる。
【００１３】
さらに、上記目的を達成するために、本発明では、原料結晶棒を誘導加熱コイルで加熱溶融して浮遊帯域を形成し、前記誘導加熱コイルに対して上側の前記原料結晶棒及び下側の単結晶棒を回転させながら相対的に下降させ、前記浮遊帯域を移動させることで前記単結晶棒を育成するＦＺ法による半導体単結晶製造装置を用いた半導体単結晶の製造方法であって、
前記誘導加熱コイルの上下のいずれか、又は両方に設けられた補助ヒーターにより、前記原料結晶棒と前記単結晶棒のいずれか、又は両方を加熱しながら前記単結晶棒を育成し、
前記補助ヒーターとして、前記原料結晶棒又は前記単結晶棒の周囲を囲むように配置される上部ヒーターと、該上部ヒーターの下側に一定間隔へだてて配置される下部ヒーターと、該下部ヒーターと前記上部ヒーターをつなぐ折り返し部とを備え、前記上部ヒーターと前記下部ヒーターを電力供給器に接続することにより閉回路が形成されるものを用いることを特徴とする半導体単結晶の製造方法を提供する。
【００１４】
このような半導体単結晶の製造方法であれば、補助ヒーターの加熱動作を自由に制御することができ、誘導加熱コイルへの高周波投入電力を大幅に減らすことができる。また、原料結晶棒および単結晶棒の加熱状態を個別に制御できる。そのため、より安定した結晶成長が可能となる。
【００１５】
このとき、前記補助ヒーターとしてハロゲンランプヒーターを用いることが好ましい。
このように、ハロゲンランプヒーターを用いることにより、純度の高い単結晶棒が製造できる。
【００１６】
このとき、前記単結晶棒育成中に前記補助ヒーターの出力を変化させることが好ましい。単結晶成長中は、原料結晶棒および単結晶棒の長さが変化するため、その熱環境は絶えず変化する。
このように、単結晶棒育成中に補助ヒーターの出力を変化させることで、浮遊帯域の状態や単結晶棒の熱履歴を任意に制御できるようになるため、より安定した結晶成長が可能となる。
【発明の効果】
【００１７】
以上のように、本発明によれば、上部ヒーターと、上部ヒーターの下側に一定間隔へだてて配置される下部ヒーターと、下部ヒーターと上部ヒーターをつなぐ折り返し部とを具備した補助ヒーターを備える半導体単結晶製造装置を用いることにより、補助ヒーターが誘導加熱コイルからの磁界による誘導加熱を受けることがなく、補助ヒーターの加熱動作を自由に制御することができ、誘導加熱コイルへの高周波投入電力を大幅に削減することができる。さらに、原料結晶棒及び単結晶棒の周囲を囲む補助ヒーターの投入電力を独立に制御することにより、原料結晶棒及び単結晶棒それぞれの加熱状態を個別に制御でき、より安定した結晶成長が可能となる。
【図面の簡単な説明】
【００１８】
【図１】本発明の単結晶製造装置の一例を示す概略図である。
【図２】本発明の単結晶製造装置で用いられる補助ヒーターの形状例を示す側面図（ａ）及び上面図（ｂ）である。
【図３】本発明の単結晶製造装置で用いられる補助ヒーターの他の形状例を示す上面図である。
【図４】比較例の補助ヒーターの形状を示す側面図（ａ）及び上面図（ｂ）である。
【図５】従来の単結晶製造装置の一例を示す概略図である。
【発明を実施するための形態】
【００１９】
以下、本発明をより詳細に説明する。
前述のように、ＦＺ法による大口径単結晶の製造においては、これまで以上に大きな高周波電力が必要となっている。そのため、浮遊帯域の最細部の状態が不安定になってしまい、単結晶化が阻害されてしまうことが多々あった。
このため、ＦＺ法による半導体単結晶の製造において、単結晶成長時に必要な電力を低減させ、省エネを達成するとともに、安定した結晶成長を達成することができる半導体単結晶製造装置及び半導体単結晶の製造方法が求められている。
【００２０】
本発明者らは、上記目的を達成するために鋭意検討を重ねた結果、原料結晶棒あるいは単結晶棒の周囲に補助ヒーターを配置し、この補助ヒーターは上部ヒーターと、上部ヒーターの下側に一定間隔へだてて配置される下部ヒーターと、下部ヒーターと上部ヒーターをつなぐ折り返し部とを備え、上部ヒーターと下部ヒーターを電力供給器に接続することにより閉回路が形成される半導体単結晶製造装置を使用することによって、補助ヒーターが誘導加熱コイルからの誘導加熱の影響を受けることなく原料結晶棒あるいは単結晶棒を加熱することができ、誘導加熱コイルへの高周波投入電力を低減することが可能であることを見出し、本発明を完成させた。
【００２１】
以下、本発明について、実施態様の一例として、図を参照しながら詳細に説明するが、本発明はこれに限定されるものではない。
【００２２】
まず、本発明の半導体単結晶製造装置について説明する。図１は本発明の半導体単結晶製造装置の一例を示す概略図である。
この半導体単結晶製造装置３０は、原料結晶棒２及び単結晶棒３を収容するチャンバー１２と、原料結晶棒２と単結晶棒３の間に浮遊帯域１１を形成するための加熱源となる誘導加熱コイル８と、誘導加熱コイル８に電力を供給する高周波発振機１３と、原料結晶棒２を保持するための上部保持具５と、原料結晶棒２を回転・移動させるための上軸４と、単結晶棒３を保持するための下部保持具７と、単結晶棒３を回転・移動させるための下軸６を備えるものである。ここまでは、一般的なＦＺ法による単結晶製造装置と同様である。
【００２３】
本発明の単結晶製造装置においては、原料結晶棒２の周囲に、原料結晶棒加熱用補助ヒーター１４を、さらには単結晶棒３の周囲に単結晶棒加熱用補助ヒーター１５を備えている。
単結晶棒加熱用補助ヒーター１５について、図２を参照して説明する。図２は単結晶棒加熱用補助ヒーター１５の形状例を示す側面図（ａ）及び上面図（ｂ）である。単結晶棒加熱用補助ヒーター１５は、単結晶棒３の略半周を取り囲むように配置される上部ヒーター１８と、上部ヒーター１８の下側に一定間隔へだてて配置される下部ヒーター１９と、上部ヒーター１８と下部ヒーター１９をつなぐ折り返し部２０とを備えている。上部ヒーター１８と下部ヒーター１９はチャンバー１２の外に配置された電力供給器１７に接続され、上部ヒーター１８、折り返し部２０、下部ヒーター１９、及び電力供給器１７により閉回路が構成される。
尚、図１では、原料結晶棒加熱用補助ヒーター１４と単結晶棒加熱用補助ヒーター１５の両方が配置されているが、いずれか一方だけであってもよい。
【００２４】
これまで、図２（ａ）の右側に配置される単結晶棒加熱用補助ヒーター１５について説明したが、左側に配置される単結晶棒加熱用補助ヒーター１５も左右対称で同様の構成を有する。尚、図２（ａ）及び（ｂ）において、単結晶棒加熱用補助ヒーター１５の端部が円によって示されている部分があるが、この円は補助ヒーターが図面の奥側に向かって折れ曲がって延伸していることを示している。
【００２５】
原料結晶棒加熱用補助ヒーター１４は、単結晶棒加熱用補助ヒーター１５と同様の構成を有する。すなわち、原料結晶棒加熱用補助ヒーター１４は、原料結晶棒の周囲を囲むように配置される上部ヒーターと、上部ヒーターの下側に一定間隔へだてて配置される下部ヒーターと、下部ヒーターと上部ヒーターをつなぐ折り返し部を備え、上部ヒーターと下部ヒーターを電力供給器１６に接続することにより閉回路が形成される。
【００２６】
原料結晶棒加熱用補助ヒーター１４と単結晶棒加熱用補助ヒーター１５は、チャンバー１２の側面方向からの固定、またはチャンバー１２の上面あるいは下面からの固定とすることができ、固定方法は特に限定されない。また、原料結晶棒加熱用補助ヒーター１４と単結晶棒加熱用補助ヒーター１５への電力供給は、チャンバー１２の外に配置された電力供給器１６と１７により、それぞれ電線を介して行われる。
【００２７】
補助ヒーターとして、図２では、２つの補助ヒーターを用い、それぞれが単結晶棒３の略半周を囲む形状のものを例示したが、本発明はこれに限定されるものではなく、図３に上面図を示したように、１つの補助ヒーターで単結晶棒３の周囲全体を囲むような形状とすることもできる。図３に示した補助ヒーターも、図２に示した補助ヒーターと同様に、上部ヒーターと、下部ヒーターと、折り返し部を備える。図３の上面図では、上部ヒーター２１のみを表示してある。
【００２８】
補助ヒーターとして用いるヒーターに特に制限はないが、ハロゲンランプヒーターを特に好適に用いることができる。ハロゲンランプヒーターは発熱部が石英ガラスで覆われているため、誘導加熱コイル近傍に配置しても不純物汚染の懸念が少なく、純度の高い単結晶棒が製造できる。
【００２９】
このように、補助ヒーターとして、上部ヒーターと、上部ヒーターの下側に一定間隔へだてて配置される下部ヒーターと、下部ヒーターと上部ヒーターをつなぐ折り返し部を備えるものを用い、上部ヒーターと下部ヒーターを電力供給器に接続して閉回路を形成することで、電磁誘導により上部ヒーターと下部ヒーターに生成される電流が同じ向きになり、折り返し部で接続されていることで相殺されるので、誘導加熱コイルの磁場による誘導加熱の影響を排除できる。このため、補助ヒーター自体が誘導加熱コイルにより加熱され高温化することがなく、補助ヒーターの出力が不安定となることもないので、安定した単結晶成長が可能になる。
【００３０】
次に、本発明の半導体単結晶の製造方法について簡単に説明する。
本発明の半導体単結晶の製造方法では、図１に示した半導体単結晶製造装置３０を用いて、原料結晶棒２から単結晶棒３を製造する。まず、原料結晶棒２の下端を、誘導加熱コイル８により、加熱、溶融させて、種結晶９に融着させる。その後種絞りにより絞り部１０を形成して無転位化する。その後、単結晶棒３を所望の直径まで拡径させた後、一定の直径となるように、上軸４と下軸６を下方に移動させる。この時、原料結晶棒加熱用補助ヒーター１４で原料結晶棒２の浮遊帯域１１に近接した部分を、単結晶棒加熱用補助ヒーター１５で単結晶棒３の浮遊帯域１１に近接した部分をそれぞれ加熱する。尚、結晶成長中に補助ヒーターの出力を変化させることで、浮遊帯域の状態や単結晶棒の熱履歴を任意に制御できるようになるため、より安定した結晶成長が可能となる。
図１では、原料結晶棒２と単結晶棒３の両方が加熱される例を示しているが、いずれか一方だけを加熱してもよい。
【００３１】
このように原料結晶棒あるいは単結晶棒の周囲に、上部ヒーターと下部ヒーターと折り返し部を備える補助ヒーターを配置し、上部ヒーターと下部ヒーターを電力供給器に接続することにより閉回路を形成することで、電磁誘導による上部ヒーターと下部ヒーターの電流が相殺され、誘導加熱コイルの磁場による補助ヒーターへの誘導加熱の影響を排除することができる。さらに、補助ヒーターによる加熱を行うことにより、誘導加熱コイルへの高周波投入電力を従来に比べて少なくすることができる。すなわち、浮遊帯域の最細部を太くすることができ、単結晶棒への原料供給を安定化させることができるようになり、安定した単結晶の育成が可能となる。
【実施例】
【００３２】
以下、実施例及び比較例を示して本発明をより具体的に説明するが、本発明はこれらに限定されるものではない。
【００３３】
（実施例１）
図１に示したＦＺ法による半導体単結晶製造装置を用いて、直径１５０［ｍｍ］のシリコン原料（原料結晶棒）を使用し、直径１５５［ｍｍ］のシリコン単結晶を製造した。すなわち、単結晶の成長は、原料となる原料結晶棒を溶融して種結晶に融着させ（種付け）、さらにこの種付けの際に結晶に生じた転位を抜くための絞りを行う工程（種付け・絞り工程）の後、単結晶棒を１５５［ｍｍ］の直径まで拡げながら成長させる工程（コーン工程）、単結晶棒を１５５［ｍｍ］の一定の直径に制御しつつ成長させていく工程（直胴工程）を経ながら行った。この際、補助ヒーターとして、単結晶棒側に内径１８０［ｍｍ］、高さ３０［ｍｍ］の図２に示すような形状のハロゲンランプヒーターを誘導加熱コイルの下面より３０［ｍｍ］離した位置に配置して、単結晶育成を行った。補助ヒーターの高さとは、上部ヒーターの上端から下部ヒーターの下端までの距離のことである。ハロゲンランプヒーターへの電力は、チャンバー外に設置した電力供給器（調整器）にて供給を行い、結晶成長中は２．５［ｋＷ］で一定とした。この補助ヒーターの閉回路が形成する面は、誘導加熱コイルと垂直になっている。なお、実施例１では図１とは異なり原料結晶棒側には補助ヒーターを配置しなかった。
【００３４】
結晶成長を行った結果、単結晶棒加熱用補助ヒーターの誤作動はなく、無転位結晶が得られた。また、直胴成長時の発振部への入力電力は約７８．５［ｋＷ］であった。
【００３５】
（実施例２）
図１に示したＦＺ法による半導体単結晶製造装置を用いて、直径１５０［ｍｍ］のシリコン原料結晶棒を使用し、直径１５５［ｍｍ］のシリコン単結晶を製造した。このシリコン単結晶の製造においては、単結晶棒側に内径１８０［ｍｍ］、高さ３０［ｍｍ］の図２に示すような形状のハロゲンランプヒーターを誘導加熱コイルの下面より３０［ｍｍ］離した位置に配置し、さらには、原料結晶棒側にも内径１８０［ｍｍ］、高さ３０［ｍｍ］の図２に示すような形状のハロゲンランプヒーターを誘導加熱コイルの上面より５０［ｍｍ］離した位置に配置して、単結晶育成を行った。それぞれのハロゲンランプヒーターへの電力は、チャンバー外に設置した電力供給器にてそれぞれ個別に供給を行い、単結晶棒側ヒーターには２．５［ｋＷ］、原料結晶棒側ヒーターには５［ｋＷ］とし、結晶成長中は一定とした。なお、この補助ヒーターの閉回路が形成する面は、どちらとも誘導加熱コイルと垂直になっている。
【００３６】
結晶成長を行った結果、単結晶棒加熱用および原料結晶棒加熱用どちらの補助加熱ヒーターの誤作動はなく、無転位結晶が得られた。また、直胴成長時の発振部への入力電力は約７３［ｋＷ］であった。
【００３７】
（比較例１）
図５に示したＦＺ法による半導体単結晶製造装置を用いて、直径１５０［ｍｍ］のシリコン原料結晶棒を使用し、直径１５５［ｍｍ］のシリコン単結晶を製造した。このシリコン単結晶の製造においては、単結晶棒側のみ内径１８０［ｍｍ］の図４に示すようなリング形状のハロゲンランプヒーター１１５を誘導加熱コイルの下面より３０［ｍｍ］離した位置に配置して、単結晶育成を行った。ハロゲンランプヒーターへの電力は、チャンバー外に設置した電力供給器にて供給を行った。この補助ヒーターの閉回路が形成する面は、誘導加熱コイルと平行になっている。
【００３８】
結晶成長を行った結果、補助ヒーター１１５の誤作動が発生し、補助ヒーター１１５の出力が一定とならなかった。そのため、補助ヒーターによる加熱を途中で中断しなければならなかった。その結果、無転位結晶が得られなかった。
【００３９】
（比較例２）
図５に示したＦＺ法による半導体単結晶製造装置を用いて、直径１５０［ｍｍ］のシリコン原料結晶棒を使用し、直径１５５［ｍｍ］のシリコン単結晶を製造した。このシリコン単結晶の製造においては、単結晶棒側、原料結晶棒側のどちらにも特許文献１に記載されているような絶縁性の保温筒を配置し、単結晶育成を行った。
【００４０】
結晶成長を行った結果、無転位結晶が得られたが、直胴成長時の発振部への入力電力は約８６［ｋＷ］であった。
【００４１】
このように、補助ヒーターとして、上部ヒーターと、上部ヒーターの下側に一定間隔へだてて配置される下部ヒーターと、上部ヒーターと下部ヒーターをつなぐ折り返し部とを備えるものを使用し、上部ヒーターと下部ヒーターを電力供給器に接続することで閉回路を形成したものを用いることで、補助ヒーターが誘導加熱されることを防ぎ、安定した加熱を行い、無転位結晶を得ることができた。
また、単結晶棒側と原料結晶棒側のいずれか一方に上記補助ヒーターを用いることで、両方に保温板を設けた場合と比較して、発振部への入力電力を８６［ｋＷ］から７８．５［ｋＷ］へ約９［％］削減することができた。
【００４２】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００４３】
２…原料結晶棒、  ３…単結晶棒、  ４…上軸、  ５…上部保持具、  ６…下軸、    
７…下部保持具、  ８…誘導加熱コイル、  ９…種結晶、  １０…絞り部、          
１１…浮遊帯域、  １２…チャンバー、  １３…高周波発振機、                    
１４…原料棒加熱用補助ヒーター、  １５…単結晶棒加熱用補助ヒーター、          
１６…電力供給器、  １７…電力供給器、  １８…上部ヒーター、                  
１９…下部ヒーター、  ２０…折り返し部、  ２１…上部ヒーター、                
３０…単結晶製造装置、  １００…単結晶製造装置、  １０２…原料結晶棒、        
１０３…単結晶棒、  １０４…上軸、  １０５…上部保持具、  １０６…下軸、      
１０７…下部保持具、  １０８…誘導加熱コイル、  １０９…種結晶、              
１１０…絞り部、  １１１…浮遊帯域、  １１２…チャンバー、                    
１１３…高周波発振機、  １１５…ハロゲンランプヒーター。
【図１】
0006332063.tif 000002
【図２】
0006332063.tif 000003
【図３】
0006332063.tif 000004
【図４】
0006332063.tif 000005
【図５】
0006332063.tif 000006